(57)【要約】【課題】  本発明は、具体的には回路遮断器（８）用の電流経路（２）の直流電流を遮断するための断路装置（１４）を提供する。【解決手段】  電流が流れる機械接点システム（１８，１８’）と前記機械接点システム（１８，１８’）に並列接続された半導体スイッチングシステム（２０）とを有するハイブリッドスイッチ（１６）を備える断路装置（１４）であって、前記接点システム（１８，１８’）は、少なくとも１つの不動の固定接点（２２ａ，２２ｂ）と少なくとも１つの移動接点（２４ａ，２４ｂ）とを備え、前記移動接点（２４ａ，２４ｂ）は、駆動システム（２８，２８’）に結合された電流が流れる接点ブリッジ（２６，２６’）に配置されており、前記接点ブリッジ（２６，２６’）は、切替運動時に、前記移動接点（２４ａ，２４ｂ）を開放位置から、固定接点（２２ａ，２２ｂ）に接触力（Ｆｋ）を印加する閉鎖位置に移動させるものであり、前記接点ブリッジ（２６，２６’）には、少なくとも１つの第１の磁気素子（３８，３８’）が配置されており、前記少なくとも１つの第１の磁気素子（３８，３８’）は、空隙（４２）によって、不動の第２の磁気素子（４０，４０’）に対して間隔を置いて配置されて、電流が前記接点ブリッジ（２６，２６’）を流れる際に、磁界（Ｂ）が前記第１の磁気素子（３８，３８’）に生じて、前記第１及び前記第２の磁気素子（３８，３８’，４０，４０’）が磁気で引き寄せられるようになっており、この引き寄せは、前記接触力（Ｆｋ）と同じ方向に向けられた磁力（Ｆｍ）を生じさせる、断路装置（１４）に関する。【選択図】    図２
2021535539.tif 000002
【特許請求の範囲】
【請求項１】
具体的には回路遮断器（８）用の電流経路（２）の直流電流を遮断するための断路装置（１４）であって、電流が流れる機械接点システム（１８，１８’）と前記機械接点システム（１８，１８’）に並列接続された半導体スイッチングシステム（２０）とを有するハイブリッドスイッチ（１６）を備える断路装置（１４）であって、
前記接点システム（１８，１８’）は、少なくとも１つの不動の固定接点（２２ａ，２２ｂ）と少なくとも１つの移動接点（２４ａ，２４ｂ）とを備え、
前記移動接点（２４ａ，２４ｂ）は、駆動システム（２８，２８’）に結合された電流が流れる接点ブリッジ（２６，２６’）に配置されており、前記接点ブリッジ（２６，２６’）は、切替運動時に、前記移動接点（２４ａ，２４ｂ）を開放位置から、固定接点（２２ａ，２２ｂ）に接触力（Ｆｋ）を印加する閉鎖位置に移動させるものであり、
前記接点ブリッジ（２６，２６’）には、少なくとも１つの第１の磁気素子（３８，３８’）が配置されており、前記少なくとも１つの第１の磁気素子（３８，３８’）は、空隙（４２）によって、不動の第２の磁気素子（４０，４０’）に対して間隔を置いて配置されて、電流が前記接点ブリッジ（２６，２６’）を流れる際に、磁界（Ｂ）が前記第１の磁気素子（３８，３８’）に生じて、前記第１及び前記第２の磁気素子（３８，３８’，４０，４０’）が磁気で引き寄せられるようになっており、この引き寄せは、前記接触力（Ｆｋ）と同じ方向に向けられた磁力（Ｆｍ）を生じさせる、断路装置（１４）。
【請求項２】
前記機械接点システム（１８，１８’）は、２つの固定接点（２２ａ，２２ｂ）と２つの移動接点（２４ａ，２４ｂ）とを備えることを特徴とする、請求項１に記載の断路装置（１４）。
【請求項３】
前記第１の磁気素子（３８，３８’）及び前記第２の磁気素子（４０，４０’）は、いずれも、軟磁性材料、具体的には軟磁性鉄材料から成ることを特徴とする、請求項１又は２に記載の断路装置（１４）。
【請求項４】
前記接点ブリッジ（２６’）は、ほぼＵ字型であり、２つの移動接点（２４ａ，２４ｂ）は、縦方向のＵ字脚部（２６’ａ）のそれぞれの自由端に配置されていることを特徴とする、請求項１〜３のいずれか１項に記載の断路装置（１４）。
【請求項５】
前記縦方向のＵ字脚部（２６’ａ）に沿って、それぞれ１つの、アンカープレートとして実施された第１の磁気素子（３８’）が配置されており、
磁石ヨークとして実施された２つの第２の磁気素子（４０’）が設けられており、前記２つの第２の磁気素子（４０’）は、前記固定接点（２２ａ，２２ｂ）の領域内に配置され、それぞれ、対向して配置された前記接点ブリッジ（２６’）の縦方向のＵ字脚部（２６’ａ）を少なくとも部分的に包囲する２つの縦方向のＵ字脚部（４０’ｂ）を備えることを特徴とする、請求項４に記載の断路装置（１４）。
【請求項６】
前記接点ブリッジ（２６’）の切替運動は、揺動又は回転運動であることを特徴とする、請求項４又は５に記載の断路装置（１４）。
【請求項７】
請求項１〜６のいずれか１項に記載の断路装置（１４）を備える回路遮断器（８）。
【発明の詳細な説明】
【技術分野】
【０００１】
本発明は、具体的には回路遮断器用の、電流経路の直流電流を遮断するための断路装置であって、電流が流れる機械接点システムとこれに並列接続された半導体スイッチングシステムとを含むハイブリッドスイッチを備える断路装置に関する。本発明はさらに、このような断路装置を備える回路遮断器に関する。
【背景技術】
【０００２】
電気部品又は装置を回路又は電流回路から確実に分離することが、例えば、設置、取り付け、又は、メンテナンス目的のため、及び具体的には、一般的な人的保護のために望ましい。したがって、対応するスイッチユニット又は断路装置は、負荷下の遮断、つまり電流回路に供給する電圧源を事前にオフしない遮断が可能でなければならない。
【０００３】
負荷を分離するために、パワー半導体スイッチを使用することが可能である。しかしながら、これらは、通常動作においても避けることができない動力損失が半導体スイッチに発生するという欠点がある。さらに、このようなパワー半導体では、典型的には、ガルバニック分離を確保すること、したがって確実な人的保護を確保することは不可能である。これに対して、負荷を分離するために、機械スイッチ（開閉接点）を使用するならば、接点開放を行う際に、電気装置の電圧源からのガルバニック分離も行われる。
【０００４】
このような機械スイッチ又は接点システムの電気接点は、多くの場合、不動の固定接点及びこれに対して移動可能な移動接点として実施されている。ここで、移動接点は、固定接点に対して移動可能であり、閉鎖位置から開放位置に移行可能である。これは、接点システム又はスイッチユニットを切り替えるために、移動接点が、開放位置と閉鎖位置との間を、切替運動によって移動することを意味している。
【０００５】
接点システムの接点は、閉鎖位置において、接点システムを流れる電流が集中する典型的には極めて小さな接触位置を形成する。この場合、動作中に磁気効果が生じる。これは具体的には、いわゆる「ホルムの収縮力（holmsche Engekraft: constriction force）」と呼ばれ、移動接点と固定接点との間の接触接点を解消する力を接点に及ぼすものである。これを回避するために、このような接点システムは、通常、バネ要素を備えている。バネ要素は、バネの力で移動接点を固定接点に対して押圧する、すなわち、閉鎖位置に向けた接触力又は接触圧力を追加的に印加する。
【０００６】
しかしながら、故障電流又は過負荷電流の場合、ホルムの収縮力が接触力を超えることが起こる場合があり、これによって、望ましくない接点の分離が生じる。具体的には、切り替え対象の直流電圧が２４ボルト（ＤＣ）以上である場合、電流が流れている電気接点が分離されると、接点の開放後に、電流がアーク経路に沿ってアーク放電の形で流れ続けるため、スイッチングアークが生じる場合が多い。約５０ボルト以上の直流電圧及び約１アンペア以上の直流電流の場合、このようなスイッチングアークは、場合によっては自然に消えないため、接点システムが損傷を受けたり完全に壊れてしまったりする場合がある。
【０００７】
ハイブリッドスイッチを備える、いわゆるハイブリッド断路装置が想定可能である。このようなハイブリッドスイッチは、通常、機械接点システムとこれに並列接続された半導体スイッチングシステムとを備える。ここで、半導体スイッチングシステムは、少なくとも１つのパワー半導体スイッチを備えている。このパワー半導体スイッチは、接点システムが閉鎖されている時に開放し、すなわち非導電状態であり、接点システムが開放されている時には、少なくとも一時的に導電状態に切り替えられる。
【０００８】
具体的には、オンした時に、まず半導体スイッチングシステムが起動し、しばらくして電流が安定化した後に、接点システムが閉鎖される。その後、半導体スイッチングシステムが動作を停止し、機械接点システムが全ての電流を引き受ける。オフする場合は、逆の順番で対応して行われる。これによって、アークの電流が、接点システムの接点から半導体スイッチングシステムに導かれる、又は、転流することにより、アークは、接点システムの開閉接点の間で消弧されるか、又は、最初から発生しない。
【０００９】
したがって、このようなハイブリッド断路装置では、移動接点を開放位置に移動させるスイッチング工程、すなわち機械接点システムが開放されるスイッチング工程において、接点間のスイッチングアークを、少なくとも限られた電流領域において、確実に回避することが可能である。好適には、断路装置は、ハイブリッドスイッチに対して直列接続して配置されたヒューズを備える。ここで、このヒューズは、この電流領域以上の電流の場合に、当該システムを、確実に保護することを確保するものである。
【００１０】
このような断路装置を回路遮断器において使用する際には、ハイブリッドスイッチが故障電流又は過負荷電流を確実に保持することを確保する必要がある。なぜなら、そうでなければ、所定の特性曲線内の（ヒューズ）安全装置の確実な応答が確保されないからである。特性曲線内の安全装置の応答を、経年劣化作用も考慮しつつ確保するためには、数キロアンペア（ｋＡ）までの過電流が、機械接点システムによって確実に保持される必要がある。したがって、接触圧力をその何倍もの高さに上昇させる必要がある。このことは、接点システムの、定格電流領域における低オーム抵抗の接点形成にとって、必須であり得る。
【００１１】
安全装置の確実な応答を確保するためには、例えば、接触圧力を生成するための１つ又は複数のバネ要素を、対応して大型に形成することが可能である。こうすれば、接触力又は接触圧力は、収縮力が発生した際に、例えば機械振動に対しても十分な予備を有することが可能になる。しかしながら、これによって、製造コストだけでなく断路装置用に必要となる設置スペース要件も高くなることが欠点である。さらに、接点システムの切り替え及び維持に係る手間が、比較的大きくなる。
【００１２】
具体的には、１つの固定接点及び１つの移動接点だけを有する接点システムでは、移動接点を（導体）ループとして実施することが想定可能である。動作中は、ループを通って流れる電流が、磁界を生成し、これが、接触力を補助するための磁力を作用させる。これによって、収縮力を補償することが可能である。この場合この作用は、電流の流れる方向とは無関係である。
【００１３】
例えば、永久磁石の磁界を、直接又はバッフル板を介して、接点システムの領域に方向付けて、電流が流れる間に移動接点を包囲する磁界と協働して、有効な作用を接触圧力に生じさせるようにすることも想定可能である。ここで、生じる磁力の方向は、電流の流れる方向に依存する。
【発明の概要】
【発明が解決しようとする課題】
【００１４】
本発明の課題は、電流経路の直流電流を遮断するために特に適した断路装置を提供することにある。本発明の課題はさらに、対応する断路装置を備える回路遮断器を提供することにある。
【課題を解決するための手段】
【００１５】
本発明に係る断路装置は、具体的には電流経路に接続された回路遮断器用の、電流経路の直流電流を遮断するために適していると共に、そのように構成されている。この、具体的にはハイブリッド断路装置は、電流経路の直流電流を遮断するためのハイブリッドスイッチを備えている。
【００１６】
ハイブリッドスイッチは、切り替え可能な機械接点システムを備えている。「機械接点システム」とは、以下において、完全に機械式だけでなく電気機械式の接点システムであると理解される。
【００１７】
「切り替える」とは、ここで及び以下において、具体的には、接点システムの機械式又はガルバニック式に接点を分離すること（「開放」）及び／又は接点を閉鎖すること（「閉鎖」）であると理解される。接点システムの接点経路は、ハイブリッドスイッチの半導体スイッチングシステムに並列接続されている。換言すると、ハイブリッドスイッチは、接点システムと半導体スイッチングシステムとの並列接続体を有する。半導体スイッチングシステムは、少なくとも１つの制御可能なパワー半導体スイッチを備えていることが、都合が良い。
【００１８】
接点システムは、少なくとも１つの不動の固定接点と、これに対して相対運動可能な少なくとも１つの移動接点とを備える。移動接点は、電流が流れる接点ブリッジ（スイッチングアーム）に支援されている。ここで、接点ブリッジは、例えば、銅材料から成る。接点ブリッジは、駆動システムに結合されており、接点ブリッジ及び従って移動接点を、開放位置から、固定接点に接触力を印加する閉鎖位置に移動させる。換言すると、移動接点には、駆動システムによって、接点の確実な当接を確保する押圧又は接触圧力が印加される。駆動システムは、好ましくは、バネ要素を有して実施されており、接触力（閉鎖力）が、バネ要素の初張力として又は復元力として生じる。
【００１９】
本発明によれば、接点ブリッジには、少なくとも１つの第１の磁気素子が配置されており、第１の磁気素子は、空隙によって、不動の第２の磁気素子に対して間隔を置いて配置されており、電流が接点ブリッジを流れる際に、第１の磁気素子に磁界を生じさせて、第１及び第２の磁気素子が磁力で引き寄せられるようになっている。換言すると、第１の磁気素子は、電流が流れる接点ブリッジによって生成された磁界を導き、磁気回路が、空隙を介して第２の磁気素子によって閉鎖される。この引き寄せ又は磁気相互作用の間に、接触力と同じ方向に向けられた磁力（引き寄せ力）が生じ、これによって、移動接点の固定接点に対する接触力が有効かつ効果的に上昇する。
【００２０】
電流によって、駆動システムの接触力に追加的に、接触圧力を上昇させる力、つまり生じるホルムの収縮力に反作用する力が、両方の磁気素子間に発生する。換言すると、接触力及び磁力は、収縮力の反対の方向に向けられる。ここで、この力の作用は、電流の流れる方向とは無関係であり、したがって、常に接触力を強化するように機能する。
【００２１】
収縮力だけでなく生じる磁力も、接点システムを介して流れる電流強度の二乗に対して比例して増大する。これは、過負荷電流又は故障電流の場合に、収縮力だけでなく磁力も同様に増大するので、磁気素子による磁力は、常に、収縮力を補償するために十分な大きさを有することを意味している。したがって、常に確実かつ動作信頼性を有して接点を当接させることが確保される。具体的には、故障電流又は過負荷電流の場合でも、望ましくない接点の分離が有効かつ容易に回避される。これによって、電流経路の直流電流を遮断するために特に適した断路装置が実現される。
【００２２】
具体的には、接触圧力用の追加的な磁力は、移動接点を確実に固定接点に押圧することが必要な時に初めて生成される。したがって、従来技術とは異なり、駆動システムの接触圧力バネを大きな寸法で形成する必要がなくなり、これによって、断路装置の製造コスト及び設置スペース要件が低減される。さらに、接点システム又はハイブリッドスイッチを切り替える際に、比較的わずかな引き寄せ及び保持エネルギーや、比較的わずかな手間しか必要とされない。保持エネルギーが低減されることにより、駆動システムの発熱作用が低減され、これによって、特に小さい設置スペースの駆動システムが利用可能になる。また、より高い定格電流を実現可能である。したがって、双安定の接点システムとして実施する場合、例えば、比較的弱い永久磁石を利用することが可能になる。
【００２３】
機械接点システムがハイブリッドスイッチの一部であるため、切り替え時に、具体的には接点を開放する際に、（スイッチング）アークは生じない。このため、接点燃焼による作用を実質的に回避することができ、空隙による磁気素子の調節を特に効果的に設定可能又は規定可能である。したがって具体的には、断路装置の少なくとも磁気素子の力の作用については、その耐用年数を通してほとんど変動しない。
【００２４】
不動の第２の磁気素子は、ハイブリッドスイッチの一部でないこと、具体的には可動接点システムの一部でないことが好ましい。第２の磁気素子は、例えば、断路装置又は回路遮断器のハウジングに配置されて、そのため、生じる磁力の作用点は、接点システムの駆動システムの外部に、又は、これから間隔を置いて設置される。これによって、磁気素子の機能は常に確保される。
【００２５】
空隙は、例えば約０．３ｍｍ（ミリメートル）から１ｍｍの空間距離を有している。好ましくは、空隙は、具体的には約０．５ｍｍの空間距離を有している。
【００２６】
本発明によれば、電流が流れる接点ブリッジ自体が、駆動システムを支える磁界を生成するために利用される。したがって、磁気素子は、生じる磁力が直接接点ブリッジに作用する、追加的な電磁気アクチュエータ又はソレノイドとして機能するので、電流強度が高い場合、具体的にはキロアンペアの領域（ｋＡ）の場合に生じる接点の反発が、確実かつ動作信頼性を有して補償される。具体的には、本発明に係る断路装置の接点システムは、補助用の引き寄せ又は閉鎖力（磁力）を生成するための追加的な永久磁石を必要としない。このため、断路装置は、特に安価に製造される。さらに、この機能は、電流の流れる方向に無関係であるので、接点システム及び従って断路装置は、実質的には双方向で使用可能である。
【００２７】
従来技術とは異なり、本発明に係る磁気素子の引き寄せ作用により、接点ブリッジを介して電流を導くことを、ループ状に導かれる接点ブリッジ（導体ループ）の反発と比べてより好適に行うことが可能である。これによって、極めて設置スペースが小さい断路装置の形態が可能になる。また、接点閉鎖時の最大作用が実現される。移動距離がより大きい接点（長い分離距離、高い電圧）の場合は逆に、導体ループを、対応して広く及び従って無駄に広く実施しなければならない。したがって、接点ブリッジ自体を、特に設置スペースを小さくして、かつ、省材料化して実施可能であり、これによって、さらに接点システムの電力損失も低減される。
【００２８】
好適な一発展形態では、機械接点システムは、２つの固定接点と２つの移動接点とを備えている。ここで好適にも、移動接点がほぼ同時に、すなわち同期して移動するので、両方の切り替え位置又は接点位置における切り替えがほぼ同時に行われる。換言すると、接点システム及び従ってハイブリッドスイッチは、好ましくは互いに間隔を置いて配置された２つの接点対又は分離位置を有している。したがって、特に動作信頼性を有した接点システムの切り替えが可能であり、これによって、断路装置の切替動作が改善される。
【００２９】
好適な一形態では、第１の磁気素子及び第２の磁気素子はいずれも、軟磁性材料、具体的には軟磁性鉄材料から成る。ここで、軟磁性材料又は原料とは、具体的には、磁界の存在下において容易に磁化される強磁性材料であると理解される。この磁気分極は、具体的には、電流が流れる接点ブリッジ内の電流によって生成される。分極によって、各磁気素子の磁束密度は何倍にも上昇する。これは、軟磁性材料が外部磁界を、その各材料透磁率だけ「強化」することを意味している。これによって、磁気素子間にできるだけ高い磁力が生成されるので、収縮力は常に確実に補償されることが確保される。
【００３０】
軟磁性の原料は、１０００Ａ／ｍ（アンペア毎メートル）未満の保磁力を有している。軟磁性材料としては、例えば、８０〜１２０Ａ／ｍの保磁力を有する磁気軟鉄（ＲＦｅ８０〜Ｒｆｅ１２０）が使用される。同様に、例えば、ＥＮ１０１３９−ＤＣ０１＋ＬＣ−ＭＡ（「変圧器板」）といった冷延板の使用も想定可能である。これによって、特に安価な形態が実現される。
【００３１】
想定可能な一形態では、第１の磁気素子及び第２の磁気素子は、一対の、ヨーク／アンカー対として実施されている。ここで、磁気素子のうちの一方は、ほぼＵ字型又は馬蹄型の磁石ヨークとして実施されており、他方の各磁気素子は、平坦なアンカープレートとして構成されていることが好ましい。
【００３２】
好適な一形態では、接点ブリッジは、接点ブリッジの対向する先端に配置された、２つの移動接点を備えるほぼ矩形体に実施されている。これによって、特に容易な、接点システムの可動部の構成が実現される。移動接点は、接点ブリッジの共通の平面に配置されていることが好ましく、ここで、駆動システムへの結合は、好適には、移動接点の反対側の接点ブリッジの平面において行われる。
【００３３】
有効な一形態では、第１の磁気素子は、水平方向のＵ字脚部の領域において接点ブリッジに当接する、Ｕ字型の磁石ヨークとして実施されている。ここで、第１の磁気素子又は磁石ヨークは、具体的には機械結合する領域において水平方向のＵ字脚部で駆動システムに当接し、磁石ヨークは、縦方向のＵ字脚部によって、接点ブリッジを少なくとも部分的に包囲する。
【００３４】
好適には、縦方向のＵ字脚部は、接点ブリッジを包囲して、接点ブリッジの第１の磁気素子の縦方向のＵ字脚部が固定接点の方向に突出し、それぞれ１つの自由端側の空隙によって、アンカープレートとして実施された第２の磁気素子に対して間隔を置いて配置されるようにする。ここで、第２の磁気素子又はアンカープレートは、接点ブリッジに対して実質的に横方向に、すなわち、第１の磁気素子又は磁石ヨークの水平方向のＵ字脚部に対してほぼ平行に向けられている。
【００３５】
有効な一発展形態では、接点ブリッジの切替運動、すなわち、駆動システム及び／又は磁気素子によって生じる接点ブリッジの運動は、直線状である。接続詞「及び／又は」は、ここで及び以下において、この接続詞によって関連付けられた特徴が、共に、及び、互いに対して選択的に構成可能なことであると理解される。これによって、駆動システム及び接点ブリッジ並びに磁気素子の、構造的に特に簡素な形態及び配置が可能である。
【００３６】
有効な他の一形態では、接点ブリッジは実質的にＵ字型に実施されており、縦方向のＵ字脚部の各自由端に、２つの移動接点が配置されている。この接点ブリッジの他の形態は、安価に製造可能であり、接点間の特に大きな分離距離、すなわち、開放位置における接点間の大きな空間距離を可能にする。本実施形態では、駆動システムは、好ましくは、傾斜アンカー磁気システムとして実施されており、これによって、特に安価で、設置スペースが小さく、耐用年数の長い断路装置が実現される。
【００３７】
本実施形態の追加的又はさらなる態様では、接点ブリッジの縦方向のＵ字脚部に沿って、それぞれ１つのアンカープレートとして実施された第１の磁気素子が配置されるように構成されている。さらに、Ｕ字型又は馬蹄型の磁石ヨークとして実施された２つの第２の磁気素子が設けられている。これらは、固定接点の領域に配置され、それぞれ２つの縦方向のＵ字脚部を有している。これらの縦方向のＵ字脚部は、それぞれ対向して配置された接点ブリッジの縦方向のＵ字脚部を少なくとも部分的に包囲する。これによって、移動接点の領域における、補助用の磁力の均一な生成又は作用が確保される。
【００３８】
特に好適な一発展形態では、接点ブリッジの切り替え運動は、揺動又は回転運動によって行われる。ここで、揺動又は回転軸は、具体的には、接点ブリッジの水平方向のＵ字脚部に沿って、又は、これに平行に向けられている。好ましくは、接点ブリッジは、ここでは、例えばバネ鋼から成る型打ち部材として構成された、駆動システムのほぼＵ字型のバネ要素に固定又は保持されている。ここで、揺動又は回転運動は、具体的には、傾斜アンカー磁気システムによって実現され、バネ要素の屈曲弾性によって接触圧力が生成される。揺動又は回転運動によって、容易に、接点間の特に大きな分離距離が生成可能又は実施可能である。これによって、断路装置の特に安全かつ確実なガルバニック分離が実現される。
【００３９】
さらに、具体的には、Ｕ字型に形成されたバネ要素を有する構成であって、該バネ要素の縦方向のＵ字脚部が接点ブリッジのＵ字脚部に実質的に揃えられた構成は、接点システムが外からの振動又は衝撃時にも確実に閉鎖位置に維持されるという点において利点を有している。具体的には、このような回転する接点システムにおいて、移動する接点ブリッジの質量中心を、回転点又は回転軸の近傍に位置づけることが可能である。
【００４０】
好ましい一用途では、上述の断路装置は回路遮断器の一部である。回路遮断器は、ここでは、電流回路において、直流電流源と電気器具又は負荷との間に接続されて、回路遮断器の駆動時に、断路装置が電気器具又は負荷をガルバニック式に直流電流源から分離するようになっていることが、都合が良い。
【００４１】
回路遮断器は、具体的には、ハイブリッド回路遮断器として、又は、ハイブリッド（電力）中継器として、又は、ヒューズが後段に接続された回路遮断器として実施され、電力網側及び従って電流が流れる電線に接続された供給端子と、負荷側に繋がる電線に接続可能な負荷端子とを備えている。
【００４２】
好適には、回路遮断器は、例えば６ｋＡの領域の高い電圧及び直流電流を切り替えるために適していると共に、そのように構成されている。このために、断路装置は、このような高い電流強度を導くと共に安全に切り替えるために対応した寸法を有していることが、都合が良い。したがって、本発明に係る断路装置によって、高い過負荷電流又は故障電流の場合でも、回路遮断器の安全かつ確実な切り替えが確保される。
【図面の簡単な説明】
【００４３】
以下に、本発明の実施形態を、図面を参照しながら詳細に説明する。
【図１】直流電流源と、電気器具と、これらの間に接続された回路遮断器とを備える電流回路を示す概略図である。
【図２】回路遮断器の機械接点システムを示す斜視図である。
【図３】接点システムを示す断面図である。
【図４】接点システムを示す斜視図である。
【図５】接点システムを示す側面図である。
【図６】接点システムの下部を上から見た上面図である。
【図７】閉鎖位置にある接点システムの他の実施形態を示す斜視図である。
【図８】開放位置にある接点システムの他の実施形態を示す斜視図である。
【図９】他の実施形態における接点システムを部分的に示す側面図である。
【図１０】接点システムの縦断面図である。
【図１１】接点システムの横断面図である。
【００４４】
互いに対応する部分及び寸法には、全ての図面において、常に同じ参照番号が付されている。
【発明を実施するための形態】
【００４５】
図１は、（直流）電流Ｉを導くための電流回路２を概略的にかつ簡略化して示す図である。電流回路２は、陽極４ａ及び負極４ｂを有する直流電流源４を備える。陽極４ａ及び負極４ｂの間に、動作電圧Ｕが印加される。電流回路２には、負荷又は電気器具６が接続されている。陽極４ａと負荷６との間には、例えばハイブリッドパワー中継器の形の回路遮断器８が接続されている。
【００４６】
回路遮断器８は、一方において供給端子１０を介して、供給源側、すなわち電流が流れる電線に接続されており、他方では負荷端子１２を介して、負荷側に繋がる電線に接続されている。
【００４７】
回路遮断器８は、ハイブリッド断路装置１４と安全装置１５との直列接続体を備えている。断路装置１４は、ここでは、ハイブリッドスイッチ１６を有して形成されており、ハイブリッドスイッチ１６は、機械接点システム１８と、これに並列接続された、半導体スイッチングシステム２０及び（補助）中継器２１の直列接続体とを備えている。半導体スイッチングシステム２０は、図１では、例えば、制御されたパワー半導体スイッチによって、具体的にはＩＧＢＴ（絶縁ゲートバイポーラトランジスタ）によって示されている。
【００４８】
ここで、追加的な中継器又は分離素子２１は、断路装置１４の作動時に、電流回路２のガルバニック分離を確保する。断路装置１４は、故障電流又は過負荷電流が生じた場合に、安全装置１５が作動するまで、電流Ｉを十分に長い時間確実に保持することに適していると共に、そのように構成されている。ここで、「電流Ｉを確実に保持する」とは、具体的には、機械接点システム１８の接点が、遮断又は分離されないことであると理解される。
【００４９】
以下に、図２〜図６を参照しながら、接点システム１８の第１の実施形態をより詳細に説明する。
【００５０】
図２に示される接点システム１８は、２つの不動の固定接点２２ａ、２２ｂを備える。これらの固定接点２２ａ、２２ｂは、一方では供給端子１０に、他方では負荷端子１２に導電接続されている。固定接点２２ａ、２２ｂは、それぞれ、対応する電気端子２３ａ、２３ｂに繋がっており、これを介して、接点システム１８は電流回路２に接続可能である。
【００５１】
接点システム１８は、２つの移動接点２４ａ、２４ｂをさらに備える。これらの移動接点２４ａ、２４ｂは、電流が流れる共通の接点ブリッジ２６によって支えられている。接点ブリッジ２６は、駆動システム２８に結合されており、これを介して、接点ブリッジ２６は、固定接点２２ａ、２２ｂに対して接近又は離反するように運動可能である。
【００５２】
接点システム１８を切り替えるために、接点ブリッジ２６は、駆動システム２８によって、切替運動の間に開放位置から閉鎖位置に移動可能である。図２〜図６では、移動接点２４ａ、２４ｂが、各接点位置において、それぞれ対向する固定接点２２ａ、２２ｂと導電接触接点を形成する閉鎖位置にある接点システム１８が示されている。
【００５３】
図２〜図６の実施形態では、接点システム１８の開閉時の駆動装置２８によって行われる切替運動は、接点２２ａ、２２ｂ、２４ａ、及び、２４ｂに対して垂直に方向付けられた、駆動装置２８の（駆動）方向に沿って直線状に行われる。
【００５４】
長手方向に直線状に延びるほぼ板状の接点ブリッジ２６は、例えば、銅から成る型打ち部品として製造されている。移動接点２４ａ及び２４ｂは、ここで、ほぼ四角形の接点ブリッジ２６の対向する先端に配置されている。移動接点２４ａ及び２４ｂは、接点ブリッジ２６の、固定接点２２ａ及び２２ｂ側の平面又は下面３０に配置されている。接点ブリッジ２６の反対側の平面又は上面３２には、駆動システム２８が配置されている。
【００５５】
図３は、図２の線ＩＩＩ−ＩＩＩに沿った接点システム１８の縦断面を部分的に示す断面図である。図３の断面図に比較的明瞭に示されるように、駆動装置２８は、接点ブリッジ２６を作動又は運動させるためのバネ負荷がかけられたプランジャ３４を備える。
【００５６】
プランジャ３４は、例えばコイルバネとして実施された、以下では接触圧力バネとも呼ばれるバネ要素３６によって少なくとも部分的に包囲されている。ここで、接触圧力バネ３６は、閉鎖位置において少なくとも所定のバネ張力が存在し、その復元力が、接触力Ｆｋ又は接触圧力として、接点ブリッジ２６、つまり移動接点２４ａ及び２４ｂに作用するように配置されている（図４）。換言すると、移動接点２４ａ及び２４ｂには、駆動システム２８を介して押圧力又は接触圧力が印加され、この押圧力又は接触圧力は、接点２２ａ、２２ｂ、２４ａ、及び、２４ｂの確実な当接を確保する。接触力Ｆｋは、ここでは、駆動装置の駆動又は作動方向に沿うように方向付けられており、すなわち接点システム１８の直線状の切替運動が行われる方向に沿うように方向付けられている。
【００５７】
接点ブリッジ２６には、磁気素子３８が配置されている。磁気素子３８は、ほぼ馬蹄型又はＵ字型の磁石ヨークとして構成されており、その水平方向のＵ字脚部３８ａは、接点ブリッジ２６の上面３２に配置される。Ｕ字脚部３８ａは、プランジャ３４が少なくとも部分的に貫通する、詳細には図示されていない円形の中央開口部を有している。Ｕ字脚部３８ａは、接点ブリッジ２６に対して横方向に、すなわちほぼ垂直に配置されている。
【００５８】
Ｕ字脚部３８ａの対向する先端には、それぞれ１つの縦方向のＵ字脚部３８ｂが成形されている。これらのＵ字脚部３８ｂは、Ｕ字脚部３８ａ及び接点ブリッジ２６に対して垂直に、すなわちプランジャ３４に対してほぼ平行に方向付けられている。ここで、Ｕ字脚部３８ｂは、接点ブリッジ２６を包囲して、Ｕ字脚部３８ｂがその各自由端において、少なくとも部分的に接点ブリッジ２６の下面３０を軸方向に超えるように、すなわち下面３０から突出するようになっている。Ｕ字脚部３８ｂの自由端に対して間隔を置いて、第２の磁気素子４０が配置されている。この、平坦なほぼ四角形のアンカープレートとして実施された磁気素子４０は、Ｕ字脚部３８ａに対して平行に、すなわち接点ブリッジ２６に対して横方向に配置されている。
【００５９】
これらの図に示される閉鎖位置において、Ｕ字脚部３８ｂの自由端は、それぞれ、空隙４２によって、アンカープレート４０から間隔を置いて維持されている。アンカープレート４０は、不動であり、つまり断路装置１４又は回路遮断器８のハウジングに対して筐体固定して配置されている。磁石ヨーク３８及びアンカープレート４０はいずれも、軟磁性材料、具体的には軟磁性鉄材料から成る。
【００６０】
Ｕ字脚部３８ｂは、具体的には図４及び図５に明示されているように、Ｕ字脚部３８ｂ及び接点ブリッジ２６の長手方向にまたがる平面において、ほぼ漏斗状の横断面形状を有している。ここで、Ｕ字脚部３８ｂは、基部がＵ字脚部３８ａに当接して形成された切頭錐体又は台形状の領域、及び、台形状の領域の該基部の反対側にある基部面に形成されたほぼ長方形の領域を備える。ここで、長方形の領域が、Ｕ字脚部３８ｂの自由端を形成している。Ｕ字脚部３８ｂには、例えば図４に示されるように、円形の開口部４４が設けられていることが可能である。
【００６１】
具体的には、図６に示される、下面３０を上から見た上面図から明らかなように、アンカープレート４０は、接点ブリッジ２６及びＵ字脚部３８ａの長手方向にまたがる平面において、ほぼ砂時計の形、すなわち腰部がくびれた横断面形状を有している。これによって、腰部のくびれ部又はテーパ部は、各長手側面に沿った中央に、及び、固定接点２２ａ及び２２ｂの領域内に配置される。
【００６２】
図４に概略的に矢印で示されるように、電流Ｉは、固定接点２２ａ及び移動接点２４ａを介して、接点ブリッジ２６の中に供給され、移動接点２４ｂ及び固定接点２２ｂを介して接点システム１８から排出される。磁気作用により、接点対２２ａ及び２４ａ、並びに、接点対２２ｂ及び２４ｂに形成される接点位置において、それぞれ収縮力Ｆｅが生じる。この収縮力Ｆｅは、接触力Ｆｋの逆方向に向いている。
【００６３】
接触圧力バネ３６の接触力Ｆｋすなわちバネ力は、具体的には、正常電流において、すなわち正常値又は定格値以下の電流強度を有する電流Ｉにおいて、収縮力Ｆｅが確実に補償されるような大きさを有している。これは、正常電流時の接触力Ｆｋが常に、収縮力Ｆｅよりも大きいため、望ましくない移動接点２４ａ及び２４ｂの固定接点２２ａ及び２２ｂからの分離が、確実かつ容易に回避されることを意味している。
【００６４】
ここで、磁気素子３８及び４０は、電流Ｉの電流強度が定格値を超える故障電流又は過負荷電流の場合に、収縮力Ｆｅが接点２２ａ、２２ｂ、２４ａ、及び、２４ｂを互いに分離させることを回避する。このような過電流の場合、接触圧力バネ３６の接触力Ｆｋは、益々増大する収縮力Ｆｅを確実に補償するには十分でない。
【００６５】
電流が接点ブリッジ２６を通って流れる場合、電流Ｉによって、接点ブリッジ２６の周りに磁界が生成される。磁界は、軟磁性磁石ヨーク３８と軟磁性アンカープレート４０とを分極し、これによって磁気素子３８及び４０の領域内の磁束密度は、周囲と比べて著しく上昇する。したがって、磁石ヨーク３８、空隙４２、及び、アンカープレート４０の間に、磁気回路が形成される。
【００６６】
したがって、空隙４２によって離間されることにより、磁石ヨーク３８とアンカープレート４０との間に引き寄せる磁力Ｆｍが生じる。アンカープレート４０が不動状態又は筐体固定した状態で、回路遮断器８に配置されているので、磁石ヨーク３８がアンカープレート４０に引き寄せられる。すなわち、結果として生じる磁力Ｆｍが、接触圧力バネ３６の接触力Ｆｋと同じ方向に向けられるので、磁力Ｆｍ及び接触力Ｆｋは加算されて結果として１つの合力になる。これは収縮力Ｆｅに反作用する。したがって、接点２２ａ、２２ｂ、２４ａ、及び、２４ｂ間の接触圧力は上昇するため、故障電流又は過負荷電流の場合でも、接点２２ａ、２２ｂ、２４ａ、及び、２４ｂの分離が確実かつ安全に回避される。
【００６７】
したがって、電流が流れる接点ブリッジ２６によって、駆動装置２８を支援する磁界が生成され、これは、接触圧力を強化するために利用される。したがって、磁気素子３８及び４０は、電流が接点ブリッジ２６を流れる際に、追加的な電磁気アクチュエータ又はソレノイドとして作用し、それが生じさせる磁力Ｆｍは、Ｕ字脚部３８ａを介して、接点ブリッジ２６、つまり移動接点２４ａ及び２４ｂに直接作用する。
【００６８】
以下に、図７〜図１１を参照して、他の実施形態である第２の実施形態に係る接点システム１８’をより詳細に説明する。
【００６９】
本実施形態では、接点ブリッジ２６’は、ほぼＵ字型の銅部材として実施されており、２つの移動接点２４ａ及び２４ｂが、縦方向のＵ字脚部２６’ａの各自由端に配置されている。
【００７０】
接点ブリッジ２６’の縦方向のＵ字脚部２６’ａに沿って、それぞれ１つのアンカープレートとして実施された磁気素子３８’が配置されている。接点システム１８’の駆動システム２８’は、本実施形態では、傾斜アンカー磁気システムとして実施されており、ここでは、傾斜アンカーに結合された１つの、ほぼＵ字型のバネ要素４６だけが示されている。ここで、Ｕ字脚部２６’ａ及びアンカープレート３８’並びにＵ字脚部４６ａは、実質的に、前後に重なって並んで配置されている。
【００７１】
バネ要素４６の縦方向のＵ字脚部４６ａは、実質的に、接点ブリッジ２６’のＵ字脚部２６’ａに揃えられて配置されており、バネ要素４６の水平方向のＵ字脚部４６ｂは、接点ブリッジ２６’の水平方向のＵ字脚部２６’ｂに対して離間されている。換言すると、Ｕ字脚部４６ａは、脚部長手方向に沿って、Ｕ字脚部２６’ａよりも長い長さを有しているので、Ｕ字脚部４６ｂは、Ｕ字脚部２６’ｂの、脚部長手方向に沿った上方に配置される。
【００７２】
バネ要素４６は、屈曲弾性材料、例えばバネ鋼から成り、そのため、実質的に独立して配置されたＵ字脚部４６ｂによって、駆動システム２８’の揺動又は回転可動性が実現される。つまり具体的には、バネ要素４６のＵ字脚部４６ａは、Ｕ字脚部４６ｂに平行に延びる揺動又は回転軸Ｓに対して、揺動又は回転可能に保持されている。
【００７３】
したがって本実施形態では、切替運動は、具体的には接点ブリッジ２６’が揺動軸Ｓの周りを揺動することによって行われる。この揺動運動は、閉鎖位置にある接点システム１８’を示す図７、及び、開放位置にある接点システム１８’を示す図８に示されている。揺動又は回転運動によって、接点２２ａ、２２ｂ、２４ａ、及び、２４ｂ間の比較的大きな分離距離が実現される。
【００７４】
本実施形態では、２つの不動の磁気素子４０’が設けられている。これらは、回路遮断器８の絶縁性の、つまり非導電性のハウジング４８に、筐体固定されて配置されている。磁気素子４０’は、横断面が馬蹄型又はＵ字型の磁石ヨークとして実施されており、少なくとも部分的にＵ字脚部２６’ａ及び４６‘の脚部長手方向に沿って延びている。つまり、磁石ヨーク４０’は、実質的に馬蹄型又はＵ字型の基部又は横断面を有する円筒形部材として実施されている。
【００７５】
磁気素子４０’は、閉鎖位置においてＵ字脚部２６’ａ及び４６’に平行に向けられたそれぞれ１つの水平方向のＵ字脚部４０’ａを有している。磁石ヨーク４０’の背中の形のＵ字脚部４０’ａに接して、２つの縦方向のＵ字脚部４０’ｂが形成されている。磁石ヨーク４０’のＵ字脚部４０’ｂは、例えば図９に示されているように、閉鎖位置において、それぞれ対向して配置された接点ブリッジ２６’の縦方向のＵ字脚部２６’ａを、Ｕ字脚部２６’ａの自由端と各アンカープレート３８’との間に空隙４２が形成されるように、少なくとも部分的に包囲している。
【００７６】
図１０及び図１１の断面図から明らかなように、電流Ｉは、接点ブリッジ２６’の脚部２６’ａ及び２６’ｂを流れる際に磁界Ｂを生成し、この磁界Ｂは、電流の方向とは無関係に、磁気素子３８’及び４０’を互いに引き寄せ合う磁力Ｆｍを生じさせ、これによって、接触力Ｆｋはバネ要素４６のバネ張力によって強化される。
【００７７】
本発明は、上述の実施形態に限定されない。むしろ、本発明の他の変形例も、本発明の対象から逸脱することなく、当業者によって導かれることが可能である。具体的には、実施形態に関連して説明した全ての個々の特徴を、本発明の対象から逸脱することなく、他の方法で互いに組み合わせることも可能である。
【符号の説明】
【００７８】
２  電流回路
４  直流電流源
４ａ  陽極
４ｂ  負極
６  負荷／電気器具
８  回路遮断器
１０  供給端子
１２  負荷端子
１４  断路装置
１５  安全装置
１６  ハイブリッドスイッチ
１８，１８’  接点システム
２０  半導体スイッチングシステム
２２ａ，２２ｂ  固定接点
２３ａ，２３ｂ  端子
２４ａ，２４ｂ  移動接点
２６  接点ブリッジ
２６’  接点ブリッジ
２６’ａ，２６’ｂ  Ｕ字脚部
２８，２８’  駆動システム
３０  平面／下面
３２  平面／上面
３４  プランジャ
３６  バネ要素／接触圧力バネ
３８  磁気素子／磁石ヨーク
３８ａ，３８ｂ  Ｕ字脚部
３８’  磁気素子／アンカープレート
４０  磁気素子／アンカープレート
４０’  磁気素子／磁石ヨーク
４０’ａ，４０’ｂ  Ｕ字脚部
４２  空隙
４４  開口部
４６  バネ要素
４６ａ，４６ｂ  Ｕ字脚部
４８  ハウジング
Ｕ  動作電圧
Ｉ  電流
Ｆｋ  接触力
Ｆｍ  磁力
Ｆｅ  収縮力
Ｓ  揺動軸／回転軸
Ｂ  磁界
【図１】
2021535539.tif 000003
【図２】
2021535539.tif 000004
【図３】
2021535539.tif 000005
【図４】
2021535539.tif 000006
【図５】
2021535539.tif 000007
【図６】
2021535539.tif 000008
【図７】
2021535539.tif 000009
【図８】
2021535539.tif 000010
【図９】
2021535539.tif 000011
【図１０】
2021535539.tif 000012
【図１１】
2021535539.tif 000013
【国際調査報告】
2021535539.tif 000014
2021535539.tif 000015
2021535539.tif 000016
2021535539.tif 000017